(57)【要約】【課題】  本発明は、バックライト筐体の変形に起因した光学フィルムの皺や歪みを生じさせることがなく、高品質な液晶表示画面を有する液晶表示モジュールユニットを提供する。【解決手段】  本発明の液晶表示モジュールユニットＡは、枠状のバックライト筐体１の内周面にパネル配設用段部11が形成され、このパネル配設用段部11上に液晶表示パネル５が配設されていると共に、上記バックライト筐体１内に光学フィルム２〜４が積層状態にて配設されており、この液晶表示パネル５と光学フィルム４とが上記パネル配設用段部11上に配設された両面粘着テープ７によって一体化され、上記両面粘着テープ７は、基材71の両面に粘着層72、73が積層一体化されており、上記光学フィルム４に対向する粘着層72の凝集力が、上記液晶表示パネル５に対向する粘着層73の凝集力よりも低くなるように構成されていることを特徴とする。【選択図】  図１
2008281835.tif 000002
【特許請求の範囲】
【請求項１】
枠状のバックライト筐体の内周面にパネル配設用段部が形成され、このパネル配設用段部上に液晶表示パネルが配設されていると共に、上記バックライト筐体内に複数枚の光学フィルムが積層状態にて配設されており、この液晶表示パネルと該液晶表示パネルに対向する光学フィルムとが上記パネル配設用段部上に配設された両面粘着テープによって一体化され、上記両面粘着テープは、基材の両面に粘着層が積層一体化されており、上記光学フィルムに対向する粘着層の凝集力が、上記液晶表示パネルに対向する粘着層の凝集力よりも低くなるように構成されていることを特徴とする液晶表示モジュールユニット。
【請求項２】
両面粘着テープが枠状に形成されていることを特徴とする請求項１に記載の液晶表示モジュールユニット。
【請求項３】
液晶表示パネルに対向する光学フィルムがプリズムシートであることを特徴とする請求項１に記載の液晶表示モジュールユニット。
【請求項４】
粘着層を構成している粘着剤の架橋度を調整することによって粘着層の凝集力を調整していることを特徴とする請求項１に記載の液晶表示モジュールユニット。
【発明の詳細な説明】
【技術分野】
【０００１】
本発明は、液晶表示モジュールユニットに関する。
【背景技術】
【０００２】
近年、液晶表示装置は、携帯電話や電子手帳などの電子機器の表示装置として多く用いられている。このような小型電子機器に用いられる液晶表示装置としては、サイドライト型バックライト方式の液晶表示装置が採用されている。
【０００３】
上記サイドライト型バックライト方式の液晶表示装置は、一般的に、反射シート、導光板、拡散シート、プリズムシートなどの光学フィルムが積層状態とされた上で合成樹脂製のバックライト筐体内に配設され、この積層状の光学フィルム上に両面粘着テープを介して液晶表示パネルが積層一体化されていると共に、導光板の側方にランプリフレクタが設けられてＬＥＤ（Ｌｉｇｈｔ  Ｅｍｉｔｔｉｎｇ  Ｄｉｏｄｅ）などの光源が配設されている。
【０００４】
上記両面粘着テープとしては、特許文献１に、基材と、その基材の少なくとも片面に粘着剤層を有する粘着テープにおいて、前記基材は、白色、白及び黒以外の色、黒色の順に着色されている層を有することを特徴とする粘着テープが記載されている。
【０００５】
そして、近年、電子機器の更なる小型軽量化を図るべく、液晶表示装置の小型軽量化が要望され、この要望に応えるべく、バックライト筐体の枠部の厚みを薄くしたり、或いは、光学フィルムの薄膜化が進められているが、バックライト筐体の肉厚を薄くすることによってバックライト筐体自体が変形し易くなる。
【０００６】
このバックライト筐体の変形は、上記両面粘着テープを介して光学フィルムに伝達し、光学フィルムが薄膜化されていることもあって、光学フィルムに容易に歪みや変形が生じ、その結果、液晶表示画面に皺状に明暗が生じるといった問題点が発生していた。
【０００７】
【特許文献１】特開２００４−５９７２３号公報
【発明の開示】
【発明が解決しようとする課題】
【０００８】
本発明は、バックライト筐体の変形に起因した光学フィルムの皺や歪みを生じさせることがなく、高品質な液晶表示画面を有する液晶表示モジュールユニットを提供する。
【課題を解決するための手段】
【０００９】
本発明の液晶表示モジュールユニットは、枠状のバックライト筐体の内周面にパネル配設用段部が形成され、このパネル配設用段部上に液晶表示パネルが配設されていると共に、上記バックライト筐体内に複数枚の光学フィルムが積層状態にて配設されており、この液晶表示パネルと該液晶表示パネルに対向する光学フィルムとが上記パネル配設用段部上に配設された両面粘着テープによって一体化され、上記両面粘着テープは、基材の両面に粘着層が積層一体化されており、上記光学フィルムに対向する粘着層の凝集力が、上記液晶表示パネルに対向する粘着層の凝集力よりも低くなるように構成されていることを特徴とする。
【００１０】
そして、上記液晶表示モジュールユニットにおいて、両面粘着テープが枠状に形成されていることを特徴とする。
【００１１】
更に、上記液晶表示モジュールユニットにおいて、液晶表示パネルに対向する光学フィルムがプリズムシートであることを特徴とする。
【００１２】
又、上記液晶表示モジュールユニットにおいて、粘着層を構成している粘着剤の架橋度を調整することによって粘着層の凝集力を調整していることを特徴とする。
【発明の効果】
【００１３】
本発明の液晶表示モジュールユニットは、上述の如き構成を有するので、バックライト筐体の変形に伴う変形応力を両面粘着テープの粘着層が円滑に吸収し、変形応力が光学フィルムに伝達するのを効果的に防止することができ、よって、光学フィルムの皺や歪みに起因した液晶表示画面のムラは生じず、高品質の液晶表示画面を供する。
【発明を実施するための最良の形態】
【００１４】
本発明の液晶表示モジュールユニットの一例を図面を参照しつつ説明する。液晶表示モジュールユニットＡのバックライト筐体１は、図１及び図２に示したように、合成樹脂製の矩形枠状に形成され、上端部には液晶表示パネルを載置するための平面矩形枠状のパネル配設用段部11がバックライト筐体１の上端面に開口した状態に形成されていると共に、下端部には反射板を配設するための反射板配設用段部12が上端面に開口した状態に平面矩形枠状に形成されている。
【００１５】
そして、バックライト筐体１のパネル配設用段部11上には、バックライト筐体１の上端開口部よりも僅かに小さい大きさの平面矩形状の液晶表示パネル５が配設されていると共に、バックライト筐体１内には複数枚の光学フィルムが互いに積層された状態で配設されている。
【００１６】
具体的には、導光板２、拡散シート３、及び、輝度を向上させるための一枚或いは複数枚のプリズムシート４、４・・・が、この順序で積層された上で、プリズムシート４を液晶表示パネル５に対向させ且つプリズムシート４がパネル配設用段部11のパネル受止面11aに略面一となるようにバックライト筐体１内に配設されている。なお、上記以外の光学フィルムが適宜、積層されていてもよい。
【００１７】
上記複数枚の光学フィルム２〜４は、バックライト筐体１のパネル配設用段部11のパネル受止面11aで囲まれた平面矩形状の開口部よりも僅かに小さい平面矩形状に形成されており、バックライト筐体１内に配設された状態においては、バックライト筐体１のパネル配設用段部11のパネル受止面11aと、これに対向する光学フィルムとの間に隙間B1が形成されていると共に、液晶表示パネル５の外周面と、これに対向するバックライト筐体１のパネル配設用段部11の垂直部11bとの間にも隙間B2が形成されている。
【００１８】
このように隙間B1、B2を形成しているのは、バックライト筐体１は合成樹脂から形成されており、成形条件などの変化によって僅かながら寸法誤差を生じ、この寸法誤差を吸収するためである。
【００１９】
なお、バックライト筐体１の反射板配設用段部12には反射板６が配設一体化されていると共に、バックライト筐体１内にはＬＥＤ（図示せず）が光源として配設されている。
【００２０】
上記液晶表示パネル５とこれに対向するプリズムシート４とは矩形枠状の両面粘着テープ７を介して一体化されている。この両面粘着テープ７は、基材フィルム71の両面に粘着層72、73が積層一体化されてなり、外形がバックライト筐体１の上端開口部と略同一形状、同一大きさである平面矩形枠状に形成されている。
【００２１】
そして、上記両面粘着テープ７は、バックライト筐体１のパネル配設用段部11のパネル受止面11a上に配設された状態において、バックライト筐体１のパネル配設用段部11のパネル受止面11aの外周部から、パネル配設用段部11のパネル受止面11aで囲まれた開口部内に配設されたプリズムシート４の外周部に達する程度の幅寸法を全周に亘って有しており、バックライト筐体１のパネル配設用段部のパネル受止面11a及びプリズムシート４と、液晶表示パネル５とがこれらの全周において両面粘着テープ７を介して貼着一体化されている。
【００２２】
上記両面粘着テープ７の基材フィルム71を構成する合成樹脂としては、特に限定されず、例えば、ポリエチレンテレフタレート、ポリブチレンテレフタレート、ポリエチレンナフタレートなどのポリエステル系樹脂、ポリエチレン、ポリプロピレンなどのポリオレフィン系樹脂、ポリビニルアルコール、ポリ塩化ビニリデンなどが挙げられ、ポリエステル系樹脂が好ましく、ポリエチレンテレフタレートがより好ましい。
【００２３】
ここで、上述したように、バックライト筐体１は合成樹脂から形成されており、軽量化のために全体の剛性が低く抑えられていることもあって外力によって変形し易く、しかも、バックライト筐体１のパネル配設用段部11のパネル受止面11aと、これに対向する光学フィルム、特に、プリズムシート４との間には隙間B1が、そして、液晶表示パネル５の外周面と、これに対向するバックライト筐体１のパネル配設用段部11の垂直部11bとの間には隙間B2が形成されている。
【００２４】
このような状態において、図３の点線で示したように、バックライト筐体１のパネル配設用段部11のパネル受止面11aがプリズムシート４に対して近接し或いは離間する方向に変形、変位し、或いは、図４の点線で示したように、バックライト筐体１のパネル配設用段部11のパネル受止面11aが液晶表示パネル５から離間する方向に変形、変位すると、この変位に伴う変形応力がプリズムシート４に両面粘着テープ７を介して伝達し、プリズムシートに皺や歪みが発生するといった問題点があった。
【００２５】
そこで、本発明では、両面粘着テープ７の粘着層72、73において、プリズムシート４に対向する粘着層72の凝集力が、液晶表示パネル５に対向する粘着層73の凝集力よりも低くなるように調整して、バックライト筐体１の変形により生じる応力を両面粘着テープ７により吸収してプリズムシート４に伝達するのを略阻止し、プリズムシート４に皺や歪みが生じるのを防止している。
【００２６】
即ち、両面粘着テープ７の粘着層72、73の凝集力に差を設け、バックライト筐体１のパネル配設用段部11のパネル受止面11a及びプリズムシート４の双方に接している粘着層72を柔らかく形成してあり、バックライト筐体１のパネル配設用段部11のパネル受止面11aがプリズムシート４に対して相対変位しても、この相対変位に起因して生じる変形応力は粘着層72によって円滑に吸収されてプリズムシート４には殆ど伝達されず、その結果、プリズムシート４に皺や歪みが生じることはない。
【００２７】
一方、両面粘着テープ７の粘着層73、即ち、液晶表示パネル５に接している粘着層73は、その凝集力が粘着層72の凝集力よりも高く形成されて粘着力が高められており、液晶表示パネル５が両面粘着テープ７を介してバックライト筐体１及びプリズムシート４に確実に一体化されている。
【００２８】
つまり、本発明では、両面粘着テープ７の粘着層72、73の凝集力に差を設け、バックライト筐体１及びプリズムシート４に接している粘着層72の凝集力を小さくして変形し易くし、バックライト筐体１の変形に伴って生じる変形応力を直ちに吸収して、変形応力がプリズムシート４に伝達するのを確実に防止している一方、液晶表示パネル５に接している粘着層73の凝集力を大きくして粘着力を高め、バックライト筐体１及びプリズムシート４と、液晶表示パネル５との一体化を強固なものとしている。
【００２９】
上記両面粘着テープ７の粘着層72、73を構成する粘着剤としては、粘着層72、73の凝集力が上述のように調整されていれば、特に限定されず、例えば、アクリル系粘着剤、ゴム系粘着剤、シリコーン系粘着剤などが挙げられ、アクリル系粘着剤が好ましい。なお、粘着層72、73を構成する粘着剤は互いに同種類であっても異種類であってもよい。
【００３０】
なお、両面粘着テープ７の粘着層72、73の凝集力は下記の要領で評価する。先ず、両面粘着テープから縦５ｍｍ×横２０ｍｍの平面長方形状の試験片Ｃを切り出す。そして、試験片Ｃの測定対象と異なる粘着層上に、厚みが２５μｍのポリエチレンテレフタレートフィルムからなる接続板Ｄを貼着する。なお、粘着層の全面に接続板Ｄが貼着されるようにする。次に、図５に示したように、水平面Ｅ上に試験片Ｃを測定対象となる粘着層が水平面Ｅ側となるように貼着する。なお、試験片の横方向（長辺方向）が後述する引張力の方向に合致するように調整する。
【００３１】
次に、接続板Ｄの一端に２００ｇの重錘Ｆを取り付けて、接続板Ｄに水平方向に引張力がかかるようにする。なお、試験片Ｃの他端面と、接続板Ｄの他端面とが面一状になるように、試験片Ｃの粘着層上に接続板Ｄを貼着する。又、接続板Ｄの他端の移動量をμｍ単位で測定できる検出器（図示せず）を設置する。
【００３２】
そして、接続板Ｄに重錘を取り付けてから３分経過した後における接続板Ｄの他端縁の水平方向における移動距離Ｌを２３℃の雰囲気下にて検出器によって測定し、この移動距離Ｌを粘着層の凝集力の指標とする。そして、接続板Ｄの移動距離Ｌが短い程、粘着層の凝集力は高いと判断することができる。
【００３３】
両面粘着テープの粘着層72、73間において凝集力に差があればよく、粘着層の凝集力の上記評価での絶対量が特に限定されるものではないが、凝集力の小さい粘着層72の上記移動距離Ｌが好ましくは１００〜４００μｍ、より好ましくは１５０〜３５０μｍ、特に好ましくは２００〜３００μｍで、凝集力の大きい粘着層73の上記移動距離Ｌが好ましくは１０〜１５０μｍ、より好ましくは１５〜１００μｍ、特に好ましくは２０〜８０μｍで且つ粘着層72の上記移動距離Ｌが粘着層73の上記移動距離Ｌよりも相対的に大きいことが好ましい。
【００３４】
凝集力の小さい粘着層72の上記移動距離Ｌが１００μｍ未満であると柔軟性が充分とならず、モアレの発生が充分に防止できない場合があり、４００μｍを超えると粘着剤層が柔軟すぎて流出してしまう場合がある。又、凝集力の大きい粘着層73の上記移動距離Ｌが３０〜２００μｍの範囲から外れると、充分にモアレを防止できない場合がある。
【００３５】
なお、凝集力の小さい粘着層72の移動距離Ｌとは、粘着層72を水平面Ｅ上に貼着させて測定した移動距離Ｌをいい、凝集力の大きい粘着層73の移動距離Ｌとは、粘着層73を水平面Ｅ上に貼着させて測定した移動距離Ｌをいう。
【００３６】
そして、両面粘着テープ７の粘着層72、73の凝集力の調整方法は、特に限定されず、例えば、粘着層72、73を構成している粘着剤の架橋度を調整する方法、粘着性ポリマー成分の分子量を調整する方法、異なる分子量の粘着性ポリマーの配合比率によって調整する方法、柔軟性骨格を有する粘着性ポリマーの添加量を調整する方法、低分子量成分の添加量を調整する方法などが挙げられ、粘着層72、73を構成している粘着剤の架橋度を調整する方法が好ましく、粘着剤の架橋度を架橋剤の添加によって調整することがより好ましい。
【００３７】
なお、上記架橋剤としては、例えば、イソシアネート系架橋剤、エポキシ系架橋剤、キレート系架橋剤、アジリジン系架橋剤などが挙げられ、イソシアネート系架橋剤が好ましい。
【００３８】
上記では、液晶表示パネル５に対向する光学フィルムがプリズムシート４であるとして説明したが、液晶表示パネル５に対向する光学フィルムは必ずしもプリズムシートである必要はなく、他の光学フィルムであってもよい。
【００３９】
上記のようにして構成された液晶表示モジュールユニットは、携帯電話や電子辞書などの小型電子機器内に搭載されて用いられ、製造時は勿論のこと、使用中における外力や気温の変化などによってバックライト筐体１が変形したとしても、このバックライト筐体１の変形に起因する変形応力は光学フィルム４に殆ど伝達することはなく、液晶表示モジュールユニットは優れた液晶表示画面を供する。
【図面の簡単な説明】
【００４０】
【図１】本発明の液晶表示モジュールユニットを示した縦断面図である。
【図２】本発明の液晶表示モジュールユニットを示した分解斜視図である。
【図３】バックライト筐体の変形状態を示した模式縦断面図である。
【図４】バックライト筐体の変形状態を示した模式縦断面図である。
【図５】粘着層の凝集力の測定要領を示した模式図である。
【符号の説明】
【００４１】
１   バックライト筐体
11   パネル配設用段部
11a  パネル受止面
12   反射板配設用段部
２   導光板
３   拡散シート
４   プリズムシート
５   液晶表示パネル
６   反射板
７   両面粘着テープ
71   基材フィルム
72   粘着層
73   粘着層
Ａ   液晶表示モジュールユニット
Ｂ   隙間
Ｃ   試験片
Ｄ   接続板
【図１】
2008281835.tif 000003
【図２】
2008281835.tif 000004
【図３】
2008281835.tif 000005
【図４】
2008281835.tif 000006
【図５】
2008281835.tif 000007